【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
複数の副画素を含む画素がマトリクス状に配置された画像表示部と、
前記画像表示部の消費電力を低減するための色変換処理を行う色変換処理部と、
を含み、
前記色変換処理部は、前記色変換処理を行った場合における前記画像表示部の消費電力と前記色変換処理部の消費電力との合計消費電力が、前記色変換処理を行わない場合における前記画像表示部の消費電力を上回る場合には、前記色変換処理を行わない、表示装置。
【請求項２】
前記色変換処理は、前記画像表示部が表示する画像の表示輝度の上昇と共に、前記画像表示部の消費電力の低減量が増加する処理であり、
前記色変換処理部は、前記画像表示部の表示輝度範囲の全域において前記色変換処理を実施した場合における前記画像表示部の消費電力と前記色変換処理部の消費電力との合計消費電力と、前記色変換処理を行わない場合における前記画像表示部の消費電力とが交わる表示輝度に相当する第１輝度設定閾値が設定され、前記第１輝度設定閾値よりも小さい範囲を、前記色変換処理を行わない第１輝度設定範囲とし、所定の輝度設定値が前記第１輝度設定範囲内である場合に、前記色変換処理を行わない、請求項１に記載の表示装置。
【請求項３】
前記色変換処理部は、前記第１輝度設定閾値よりも大きい第２輝度設定閾値が設定され、前記第１輝度設定閾値以上であり、且つ、前記第２輝度設定閾値以下である範囲を第２輝度設定範囲とし、前記輝度設定値が前記第２輝度設定範囲内である場合に、前記輝度設定値に応じて、前記色変換処理による画質変化の度合いを示す色変換レベルを変更する、請求項２に記載の表示装置。
【請求項４】
前記色変換処理部は、前記第２輝度設定範囲内において、前記輝度設定値の上昇に応じて前記色変換レベルを上昇させる、請求項３に記載の表示装置。
【請求項５】
前記色変換処理部は、前記第１輝度設定閾値よりも大きい第２輝度設定閾値が設定され、前記第１輝度設定閾値以上であり、且つ、前記第２輝度設定閾値以下である範囲を第２輝度設定範囲とし、前記輝度設定値が前記第２輝度設定範囲内である場合に、前記輝度設定値に応じて、前記色変換処理による画質変化を許容する範囲で、時分割で前記色変換処理を行う、請求項２に記載の表示装置。
【請求項６】
前記色変換処理部は、前記第２輝度設定範囲内において、時分割で前記色変換処理を行う際に、フレーム単位で前記色変換処理を行う、請求項５に記載の表示装置。
【請求項７】
前記色変換処理部は、前記第２輝度設定範囲内において、前記画像表示部の消費電力と前記色変換処理部の消費電力との合計消費電力が、前記色変換処理を行わない場合における前記画像表示部の消費電力を超えないようなフレーム比率で、前記色変換処理を行う、請求項６に記載の表示装置。
【請求項８】
前記色変換処理部は、前記第２輝度設定範囲内において、前記画像表示部における水平ライン毎、あるいは前記画素毎に、前記色変換処理のタイミングをずらす、請求項６又は請求項７に記載の表示装置。
【請求項９】
複数の副画素を含む画素がマトリクス状に配置された画像表示部の駆動回路へ供給する入力信号の色変換方法であって、
前記画像表示部の消費電力を低減するための色変換処理を行った場合における前記画像表示部の消費電力と前記色変換処理による消費電力との合計消費電力が、前記色変換処理を行わない場合における前記画像表示部の消費電力を上回る場合には、前記色変換処理を行わない、色変換方法。
【手続補正２】
【補正対象書類名】明細書
【補正対象項目名】発明の名称
【補正方法】変更
【補正の内容】
【発明の名称】表示装置、及び色変換方法
【手続補正３】
【補正対象書類名】明細書
【補正対象項目名】０００１
【補正方法】変更
【補正の内容】
【０００１】
本発明は、表示装置、及び色変換方法に関する。
【手続補正４】
【補正対象書類名】明細書
【補正対象項目名】０００７
【補正方法】変更
【補正の内容】
【０００７】
本発明は、上記に鑑みてなされたものであって、目的を達成するために、画像表示部の消費電力を抑制するための色変換処理を行う構成において、低輝度状態においても消費電力を抑制できる表示装置、及び色変換方法を提供することにある。
【手続補正５】
【補正対象書類名】明細書
【補正対象項目名】０００９
【補正方法】変更
【補正の内容】
【０００９】
【図１】図１は、本実施形態に係る表示装置の構成の一例を示すブロック図である。
【図２】図２は、本実施形態に係る画像表示部の画素が含む副画素の点灯駆動回路を示す図である。
【図３】図３は、本実施形態に係る画像表示部の副画素の配列を示す図である。
【図４】図４は、本実施形態に係る画像表示部の断面構造を示す図である。
【図５】図５は、本実施形態に係る画像表示部の副画素の他の配列を示す図である。
【図６】図６は、本実施形態の表示装置で再現可能なＨＳＶ色空間の概念図である。
【図７】図７は、ＨＳＶ色空間の色相と彩度との関係を示す概念図である。
【図８】図８は、本実施形態に係るＨＳＶ色空間において色相変換処理を示す概念図である。
【図９】図９は、本実施形態に係る変換前の元の色相と人間が色相変化を許容する範囲の色相変化量との関係を示すルックアップテーブルを説明するための説明図である。
【図１０】図１０は、本実施形態に係る第１の色変換処理例を説明する模式図である。
【図１１】図１１は、本実施形態に係る第１の色変換方法を説明するためのフローチャートである。
【図１２】図１２は、本実施形態に係る第１の色変換処理例を説明する模式図である。
【図１３】図１３は、本実施形態に係る色相と、人間が彩度変化を許容する範囲の彩度減衰量との関係を示すルックアップテーブルを説明するための説明図である。
【図１４】図１４は、本実施形態に係る変換前の元の彩度と人間が彩度変化を許容する範囲の彩度減衰量との関係を示すルックアップテーブルを説明するための説明図である。
【図１５】図１５は、本実施形態に係るＨＳＶ色空間において彩度減衰量を示す概念図である。
【図１６】図１６は、本実施形態に係る第２の色変換処理例を説明する模式図である。
【図１７】図１７は、比較例に係る色変換処理例を説明する模式図である。
【図１８】図１８は、本実施形態に係る第２の色変換方法を説明するためのフローチャートである。
【図１９】図１９は、比較例における画像表示部の表示輝度と消費電力との関係の一例を示す概略図である。
【図２０】図２０は、実施形態１に係る表示装置における画像表示部の表示輝度と消費電力との関係の一例を示す概略図である。
【図２１】図２１は、実施形態２に係る表示装置における画像表示部の表示輝度と消費電力との関係、及び画像表示部の表示輝度と色変換レベルとの関係の一例を示す概略図である。
【図２２】図２２は、実施形態３に係る表示装置における画像表示部の表示輝度と消費電力との関係、及び画像表示部の表示輝度と色変換レベルとの関係の一例を示す概略図である。
【図２３】図２３は、本実施形態に係る表示装置を適用する電子機器の一例を示す図である。
【図２４】図２４は、本実施形態に係る表示装置を適用する電子機器の一例を示す図である。
【図２５】図２５は、本実施形態に係る表示装置を適用する電子機器の一例を示す図である。
【図２６】図２６は、本実施形態に係る表示装置を適用する電子機器の一例を示す図である。
【図２７】図２７は、本実施形態に係る表示装置を適用する電子機器の一例を示す図である。
【図２８】図２８は、本実施形態に係る表示装置を適用する電子機器の一例を示す図である。
【図２９】図２９は、本実施形態に係る表示装置を適用する電子機器の一例を示す図である。
【図３０】図３０は、本実施形態に係る表示装置を適用する電子機器の一例を示す図である。
【図３１】図３１は、本実施形態に係る表示装置を適用する電子機器の一例を示す図である。
【手続補正６】
【補正対象書類名】明細書
【補正対象項目名】００１３
【補正方法】変更
【補正の内容】
【００１３】
変換処理部１０には、入力映像信号に基づいて求められる、所定の画素に表示するための第１色情報が第１入力信号ＳＲＧＢ１として入力される。変換処理部１０は、ＨＳＶ色空間の入力値である第１色情報を、人間が彩度変化を許容する範囲の彩度減衰量で彩度が低減された第２色情報に変換した第２入力信号ＳＲＧＢ２を出力する。第１色情報及び第２色情報は、ともに赤（Ｒ）成分、緑（Ｇ）成分、青（Ｂ）成分を含む３色のカラー入力信号（Ｒ、Ｇ、Ｂ）である。
【手続補正７】
【補正対象書類名】明細書
【補正対象項目名】００１４
【補正方法】変更
【補正の内容】
【００１４】
第４副画素信号処理部２０は、画像表示部３０を駆動するための画像表示パネル駆動回路４０と接続されている。例えば、第４副画素信号処理部２０は、入力信号の入力ＨＳＶ色空間の入力値（第２入力信号ＳＲＧＢ２）を、第１の色、第２の色、第３の色及び第４の色で再現されるＨＳＶ色空間の再現値（第３入力信号ＳＲＧＢＷ）に変換し、当該第３入力信号ＳＲＧＢＷを出力信号として画像表示部３０に出力する。このように、第４副画素信号処理部２０は、第２入力信号ＳＲＧＢ２における第２色情報を、赤（Ｒ）成分、緑（Ｇ）成分、青（Ｂ）成分及び追加色成分として例えば白色（Ｗ）成分に変換した第３色情報を含む第３入力信号ＳＲＧＢＷを、駆動回路４０へ出力する。第３色情報は、４色カラー入力信号（Ｒ、Ｇ、Ｂ、Ｗ）である。追加色成分は、赤（Ｒ）成分、緑（Ｇ）成分、青（Ｂ）成分の各階調が２５６階調で（Ｒ、Ｇ、Ｂ）＝（２５５、２５５、２５５）のいわゆるピュアホワイトの白成分を例として説明するが、これに限られず、例えば、（Ｒ、Ｇ、Ｂ）＝（２５５、２３０、２０４）で表されるような色成分を、第４副画素が表示する追加色成分として、変換を行うものであってもよい。
【手続補正８】
【補正対象書類名】明細書
【補正対象項目名】００１５
【補正方法】変更
【補正の内容】
【００１５】
なお、本実施形態では、上述したように変換処理を、入力信号（例えばＲＧＢ）をＨＳＶ空間の信号に変換する処理として例示して説明しているが、これに限らず、ＸＹＺ空間、ＹＵＶ空間やその他の座標系の信号に変換してもよい。また、ディスプレイの色域であるｓＲＧＢやＡｄｏｂｅ（登録商標）ＲＧＢの色域は、ＸＹＺ表色系のｘｙ色度範囲上において、三角形状の範囲で示されるが、定義色域が定義される所定の色空間は、三角形状の範囲で定められることに限定されるものではなく、多角形状等の任意の形状の範囲で定められるものとしてもよい。
【手続補正９】
【補正対象書類名】明細書
【補正対象項目名】００１６
【補正方法】変更
【補正の内容】
【００１６】
第４副画素信号処理部２０は、生成した出力信号を画像表示パネル駆動回路４０に出力する。駆動回路４０は、画像表示部３０の制御装置であって、信号出力回路４１、走査回路４２及び電源回路４３を備えている。駆動回路４０は、信号出力回路４１によって、第３色情報を含む第３入力信号ＳＲＧＢＷを保持し、順次、画像表示部３０の各画素３１に出力する。信号出力回路４１は、信号線ＤＴＬによって画像表示部３０と電気的に接続されている。駆動回路４０は、走査回路４２によって、画像表示部３０における副画素を選択し、副画素の動作（発光輝度や光透過率）を制御するためのスイッチング素子（例えば、薄膜トランジスタ（Thin  Film  Transistor：ＴＦＴ））のオン及びオフを制御する。走査回路４２は、走査線ＳＣＬによって画像表示部３０と電気的に接続されている。電源回路４３は、電源線ＰＣＬによって各画素３１の後述する自発光体へ電力を供給する。
【手続補正１０】
【補正対象書類名】明細書
【補正対象項目名】００２１
【補正方法】変更
【補正の内容】
【００２１】
画素３１は、図３に示すように、例えば、第１副画素３２Ｒと、第２副画素３２Ｇと、第３副画素３２Ｂと、第４副画素３２Ｗとを有する。第１副画素３２Ｒは、第１原色（例えば、赤色（Ｒ）成分）を表示する。第２副画素３２Ｇは、第２原色（例えば、緑色（Ｇ）成分）を表示する。第３副画素３２Ｂは、第３原色（例えば、青色（Ｂ）成分）を表示する。第４副画素３２Ｗは、第１原色、第２原色及び第３原色とは異なる追加色成分としての第４の色（具体的には白色（Ｗ）成分）を表示する。以下において、第１副画素３２Ｒと、第２副画素３２Ｇと、第３副画素３２Ｂと、第４副画素３２Ｗとをそれぞれ区別する必要がない場合、副画素３２という。
【手続補正１１】
【補正対象書類名】明細書
【補正対象項目名】００２７
【補正方法】変更
【補正の内容】
【００２７】
なお、図４においては、下部電極５５がアノード（陽極）、上部電極５７がカソード（陰極）の例を示しているが、これに限定されない。下部電極５５がカソード及び上部電極５７がアノードであってもよく、その場合は、下部電極５５に電気的に接続されている駆動用トランジスタＴｒ２の極性を適宜変えることも可能であり、また、キャリア注入層（ホール注入層及び電子注入層）、キャリア輸送層（ホール輸送層及び電子輸送層）、発光層の積層順を適宜変えることも可能である。
【手続補正１２】
【補正対象書類名】明細書
【補正対象項目名】００２８
【補正方法】変更
【補正の内容】
【００２８】
画像表示部３０は、カラー表示パネルであり、図４に示すように、自発光層５６の発光成分のうち、第１副画素３２Ｒと画像観察者との間に第１原色光Ｌｒを通過させる第１カラーフィルタ６１Ｒが配置されている。画像表示部３０は、同様に、自発光層５６の発光成分のうち、第２副画素３２Ｇと画像観察者との間に第２原色光Ｌｇを通過させる第２カラーフィルタ６１Ｇが配置されている。画像表示部３０は、同様に、自発光層５６の発光成分のうち、第３副画素３２Ｂと画像観察者との間に第３原色光Ｌｂを通過させる第３カラーフィルタ６１Ｂが配置されている。同様に、自発光層５６の発光成分のうち、第４副画素３２Ｗと画像観察者との間に第４原色光Ｌｗになるように調整された発光成分を通過させる第４カラーフィルタ６１Ｗが配置されている。画像表示部３０は、第１原色光Ｌｒ、第２原色光Ｌｇ及び第３原色光Ｌｂと異なる色成分を有する第４原色光Ｌｗを第４副画素３２Ｗから発光することができる。また、第４副画素３２Ｗと画像観察者との間にカラーフィルタが配置されていないようにしてもよく、画像表示部３０は、自発光層５６の発光成分がカラーフィルタなどの色変換層を介さず、第１原色光Ｌｒ、第２原色光Ｌｇ及び第３原色光Ｌｂと異なる色成分を有する第４原色光Ｌｗを第４副画素３２Ｗから発光することもできる。例えば画像表示部３０の第４副画素３２Ｗには、色調整用の第４カラーフィルタ６１Ｗの代わりに透明な樹脂層が備えられていてもよい。このように画像表示部３０は、透明な樹脂層を設けることで、第４副画素３２Ｗに大きな段差が生じることを抑制することができる。
【手続補正１３】
【補正対象書類名】明細書
【補正対象項目名】００３０
【補正方法】変更
【補正の内容】
【００３０】
図６は、本実施形態の表示装置で再現可能なＨＳＶ色空間の概念図である。図７は、ＨＳＶ色空間の色相と彩度との関係を示す概念図である。表示装置１００は、画素３１に第４の色（白色）を出力する第４副画素３２Ｗを備えることで、図６に示すように、ＨＳＶ色空間における明度のダイナミックレンジを広げることができる。つまり、図６に示すように、第１副画素３２Ｒ、第２副画素３２Ｇ及び第３副画素３２Ｂが表示することのできる円柱形状のＨＳＶ色空間に、彩度Ｓが高くなるほど明度Ｖの最大値が低くなる略円錐台形状となる立体が載っている形状となる。
【手続補正１４】
【補正対象書類名】明細書
【補正対象項目名】００３５
【補正方法】変更
【補正の内容】
【００３５】
図８に示すように、角度０°の領域ＬＲ１００を含み、かつ角度０°以上３０°以下を含む領域ＬＲＬと、角度１２０°の領域ＬＧ１００と、角度２４０°の領域ＬＢ１００の領域とは、色相Ｈの認識されやすい領域であるので、色相Ｈの変換量を低く設定しておいた方がよい。しかしながら、色相Ｈが、角度３０°より大きく、領域ＬＧ１００までは、緑寄りに（領域ＬＧ１００に近くなるように）色相Ｈを色相変化量ＰＲＧ分ずらすと消費電力が抑制され、発光効率が向上することが判明した。また、色相Ｈが、領域ＬＧ１００より大きく、領域ＬＢ１００までは、緑寄りに（領域ＬＧ１００に近くなるように）色相Ｈを色相変化量ＰＧＢ分ずらすと消費電力が抑制され、発光効率が向上することが判明した。さらに、色相Ｈが、領域ＬＢ１００より大きく、領域ＬＲ１００までは、赤寄りに（領域ＬＲ１００に近くなるように）色相Ｈを色相変化量ＰＲＢ分ずらすと消費電力が抑制され、発光効率が向上することが判明した。これは、緑色、赤色、青色の順に輝度が高いので、第２色情報の色相は、第１色情報の色相よりも輝度が高い色方向に変換すれば、消費電力が抑制されることになる。そこで本実施形態に係る変換処理部１０は、図９に示す色相Ｈに対する色相変化量のルックアップテーブルの情報を記憶しておき、図９に示すルックアップテーブルに基づいて、色相変化量ＰＲＧ、ＰＧＢ、ＰＲＢを演算する。
【手続補正１５】
【補正対象書類名】明細書
【補正対象項目名】００３６
【補正方法】変更
【補正の内容】
【００３６】
図１１に示すように、画像表示部へ供給する入力信号の色変換方法において、変換処理部１０には、入力映像信号に基づいて求められる、所定の画素に表示するための第１色情報が第１入力信号ＳＲＧＢ１として入力される（ステップＳ１１）。第１色情報は、必要に応じて、γ変換され、ＲＧＢ座標系の値がＨＳＶ色空間の入力値へ変換される。
【手続補正１６】
【補正対象書類名】明細書
【補正対象項目名】００３７
【補正方法】変更
【補正の内容】
【００３７】
本実施形態に係る変換処理部１０は、第１副画素３２Ｒと、第２副画素３２Ｇと、第３副画素３２Ｂと、第４副画素３２Ｗとが有する発光体の点灯量の総量が小さくなるように人間が色相変化に気づきにくい範囲で本来の色の色相Ｈを色相変化量ＰＲＧ、ＰＧＢ、ＰＲＢ分以下だけずらす色相変換ステップ（ステップＳ１２）を処理する。例えば、図９に示すルックアップテーブルによれば、赤成分と、青成分のみの第１色情報である第１入力信号ＳＲＧＢ１（図１０参照）は、緑成分が無いため、白成分を増加させる変換をすることが難しい。そこで、本実施形態に係る変換処理部１０は、図１０に示すように第１副画素３２Ｒ及び第３副画素３２Ｂの自発光体の点灯量が低減する方向側に、第１副画素３２Ｒが有する発光体の点灯量の総量が小さくなるように人間が色相変化に気づきにくい範囲で本来の色の色相Ｈを色相変化量ＰＲＢ分以下だけずらして、第１副画素３２Ｒが有する発光体の点灯量を低減する。
【手続補正１７】
【補正対象書類名】明細書
【補正対象項目名】００３８
【補正方法】変更
【補正の内容】
【００３８】
次に、変換処理部１０は、第１色情報の輝度と、第２色情報の輝度とが変化しないように輝度調整する演算を行う輝度調整処理ステップを行う（ステップＳ１３）。そして、人間にとって、第１色情報と、第２色情報とを比較した場合、輝度の変化が小さいので、画像全体の劣化の認識が抑制される。例えば、図９に示すルックアップテーブルによれば、赤成分と、青成分のみの第１色情報である第１入力信号ＳＲＧＢ１（図１２参照）は、緑成分が無いため、白成分を増加させる変換をすることが難しい。そこで、図１２に示すように、本実施形態に係る変換処理部１０は、第２色情報の色相は、第１色情報の色相よりも輝度が高い色方向に、人間が色相変化に気づきにくい範囲で本来の色の色相Ｈを色相変化量ＰＲＢ分以下だけずらして、第１副画素３２Ｒが有する発光体の点灯量を増加する。変換後の色相Ｈの輝度が高くなるが、輝度調整処理によって、単色成分である赤成分、緑成分及び青成分のレベルが一様に下がるため、ＲＧＢＷ信号処理ステップ（ステップＳ１４）を経ると、第３入力信号ＳＲＧＢＷは、第１副画素３２Ｒが表示する赤成分（Ｒ）の点灯量と、第３副画素３２Ｂが表示する青成分（Ｂ）の点灯量とがより低減する。
【手続補正１８】
【補正対象書類名】明細書
【補正対象項目名】００３９
【補正方法】変更
【補正の内容】
【００３９】
次に、第４副画素信号処理部２０は、変換処理部１０により生成された第２入力信号を、第１の色、第２の色、第３の色及び第４の色で再現されるＨＳＶ色空間の再現値（第３入力信号ＳＲＧＢＷ）に変換し、当該第３入力信号ＳＲＧＢＷを出力信号として画像表示部３０に出力するＲＧＢＷ信号処理ステップＳ１４を行う。そして、第４副画素信号処理部２０は、第２入力信号ＳＲＧＢ２における第２色情報に基づいて生成された、赤（Ｒ）成分、緑（Ｇ）成分、青（Ｂ）成分及び追加色成分として例えば白色（Ｗ）成分を有する第３色情報を含む第３入力信号ＳＲＧＢＷを、画像表示部３０の駆動を制御する駆動回路４０へ出力する出力ステップ（ステップＳ１５）を処理する。
【手続補正１９】
【補正対象書類名】明細書
【補正対象項目名】００４０
【補正方法】変更
【補正の内容】
【００４０】
上述した第１の色変換処理例では、第２色情報が、第１色情報よりも人間が色相変化を許容する範囲で色相がずれるように色相変換する。このように、変換処理部１０は、入力映像信号に基づいて求められる、所定の画素３１に表示するための第１色情報が第１入力信号ＳＲＧＢ１として入力され、当該第１色情報の色相を、人間が色相変化を許容する範囲の色相変化量で色相をシフトした第２色情報の第２入力信号ＳＲＧＢ２を出力する。これにより、第１副画素３２Ｒと、第２副画素３２Ｇと、第３副画素３２Ｂと、第４副画素３２Ｗとが有する発光体の点灯量の総量が小さくなる。
【手続補正２０】
【補正対象書類名】明細書
【補正対象項目名】００４５
【補正方法】変更
【補正の内容】
【００４５】
図１８に示すように、画像表示部へ供給する入力信号の色変換方法において、変換処理部１０には、入力映像信号に基づいて求められる、所定の画素に表示するための第１色情報が第１入力信号ＳＲＧＢ１として入力される（ステップＳ２１）。第１色情報は、必要に応じて、γ変換され、ＲＧＢ座標系の値がＨＳＶ色空間の入力値へ変換される。
【手続補正２１】
【補正対象書類名】明細書
【補正対象項目名】００４７
【補正方法】変更
【補正の内容】
【００４７】
図１３に示すように、人間が彩度変化を許容する範囲の彩度減衰量は、色相Ｈ毎に異なる。図１３に示すルックアップテーブルは、色相Ｈ毎の彩度減衰量を縦軸にゲイン値ＱＳＨが求められる第１の彩度変換情報である。図１３に示すように、色相Ｈが角度０°を含む領域である赤成分及び角度２４０°を含む領域である青成分の一方である場合、人間が彩度変化を許容する範囲の彩度減衰量が小さいので、変換処理部１０が彩度を変化させる彩度減衰量が小さい。
【手続補正２２】
【補正対象書類名】明細書
【補正対象項目名】００５０
【補正方法】変更
【補正の内容】
【００５０】
例えば、図１６に示すように、第１色情報を含む第１入力信号ＳＲＧＢ１が、彩度変換ステップ（ステップＳ２３）により、第２色情報を含む第２入力信号ＳＲＧＢ２に変換された場合、緑（Ｇ）の成分が多くなるように彩度減衰量ΔＳＧを演算する。これにより、単色成分である赤成分、緑成分及び青成分が揃う白成分の量が増える。そして、第４副画素信号処理部２０が、第２入力信号ＳＲＧＢ２を、第１の色、第２の色、第３の色及び第４の色で再現されるＨＳＶ色空間の再現値（第３入力信号ＳＲＧＢＷ）に変換し、当該第３入力信号ＳＲＧＢＷを出力信号として画像表示部３０に出力するＲＧＢＷ信号処理ステップ（ステップＳ２５）を行う場合、第１副画素３２Ｒが表示する赤成分（Ｒ）の点灯量と、第４副画素３２Ｗが表示する追加成分（Ｗ）、つまり白色の点灯量と、が画素３１の消費電力となる。
【手続補正２３】
【補正対象書類名】明細書
【補正対象項目名】００５１
【補正方法】変更
【補正の内容】
【００５１】
ここで、図１７に示すように、比較例に係る色変換処理例では、彩度変換ステップ（ステップＳ２３）を介さずに、ＲＧＢＷ信号処理ステップ（ステップＳ２５）を処理しているので、第１副画素３２Ｒが表示する赤成分（Ｒ）の点灯量と、第３副画素３２Ｂが表示する青成分（Ｂ）の点灯量と、第４副画素３２Ｗが表示する追加成分（Ｗ）、つまり白色の点灯量と、が画素３１の消費電力となる。このように、比較例の処理に比べ、実施形態１に係る色変換方法は、追加成分（Ｗ）、つまり白色の点灯量を増やすことと、単色成分を低減することを両立し、画素３１の消費電力を抑制することができる。
【手続補正２４】
【補正対象書類名】明細書
【補正対象項目名】００５４
【補正方法】変更
【補正の内容】
【００５４】
このように、第４副画素信号処理部２０は、第２入力信号ＳＲＧＢ２における第２色情報に基づいて生成された、赤（Ｒ）成分、緑（Ｇ）成分、青（Ｂ）成分及び追加色成分として例えば白色（Ｗ）成分を有する第３色情報を含む第３入力信号ＳＲＧＢＷを、画像表示部３０の駆動を制御する駆動回路４０へ出力する出力ステップ（ステップＳ２６）を処理する。
【手続補正２５】
【補正対象書類名】明細書
【補正対象項目名】００５６
【補正方法】変更
【補正の内容】
【００５６】
上述した第２の色変換処理例では、表示装置１００は、人間が彩度変化に気づきにくい範囲で本来の色の彩度（元の彩度Ｓ）を減衰して、第４副画素３２Ｗの点灯量が増えるようにする。第１副画素３２Ｒと、第２副画素３２Ｇと、第３副画素３２Ｂと、第４副画素３２Ｗとが有する発光体の点灯量の総量が小さくなるように人間が彩度変化に気づきにくい範囲で本来の色の彩度（元の彩度Ｓ）を減衰しているので、消費電力を抑制できる。その結果、第１副画素３２Ｒ、第２副画素３２Ｇ及び第３副画素３２Ｂのうち未点灯の副画素３２が増えると、さらに消費電力が抑制できる。
【手続補正２６】
【補正対象書類名】明細書
【補正対象項目名】００５９
【補正方法】変更
【補正の内容】
【００５９】
また、変換処理部１０は、第１色情報の彩度が低いほど、彩度減衰量を大きくして彩度を低減する演算を行う。これにより、人間に識別されにくい低彩度の減衰量は大きいので、彩度変換ステップ（ステップＳ２３）の後の電力削減効果が期待できる。その結果、表示装置１００は、全体としても画質の低下（劣化）を抑制しつつ消費電力を抑制することができる。また、原色に近いほど彩度の減衰量は、小さくなるので、色の違いが人間に識別されにくい。
【手続補正２７】
【補正対象書類名】明細書
【補正対象項目名】００６７
【補正方法】変更
【補正の内容】
【００６７】
図１９に示すように、画像表示部３０の表示輝度範囲の全域において色変換処理を実施した場合、画像表示部３０の消費電力と色変換処理部５０の消費電力とを加算した合計消費電力（実線ｄ）が色変換処理を行わない場合における画像表示部３０の消費電力（一点鎖線ａ）を上回る場合がある。すなわち、色変換処理を実施した場合における合計消費電力（実線ｄ）と、色変換処理を行わない場合における画像表示部３０の消費電力（一点鎖線ａ）とが交わる表示輝度Ａよりも小さい表示輝度範囲では、色変換処理を行わない方が表示装置１００全体としての消費電力が小さくなる。
【手続補正２８】
【補正対象書類名】明細書
【補正対象項目名】００７５
【補正方法】変更
【補正の内容】
【００７５】
以上説明したように、実施形態１に係る表示装置１００、及び色変換方法によれば、画像表示部３０の消費電力の抑制を図る色変換処理を行うように構成された色変換処理部５０において、色変換処理を行った場合における画像表示部３０の消費電力と色変換処理部５０による消費電力との合計消費電力が、色変換処理を行わない場合における画像表示部３０の消費電力を上回る領域では、色変換処理を行わないようにする。具体的には、色変換処理部５０は、表示輝度Ａよりも小さい表示輝度範囲では、色変換処理を行わない。表示輝度Ａは、色変換を行う場合の合計消費電力と、色変換処理を行わない場合の画像表示部３０の消費電力との大小関係が相互に逆転する境界の輝度である。これにより、画像表示部３０の表示輝度範囲の全域において、画像表示部３０の消費電力と色変換処理部５０の消費電力とを加算した合計消費電力を小さくすることができ、表示装置１００全体としての消費電力、延いては、この表示装置１００を適用した電子機器の消費電力を低減することができる。
【手続補正２９】
【補正対象書類名】明細書
【補正対象項目名】００７６
【補正方法】変更
【補正の内容】
【００７６】
また、予め画像表示部３０の輝度範囲の全域において色変換処理を実施した場合における画像表示部３０の消費電力と色変換処理部５０の消費電力との合計消費電力と、色変換処理を行わない場合における画像表示部３０の消費電力とが交わる表示輝度Ａに相当する表示輝度設定閾値を色変換処理部５０に設定しておくことができる。これにより、色変換処理部５０は、ユーザや外光照度に応じて設定された輝度設定値と輝度設定閾値との比較結果に応じて、色変換処理を実施するか否かを判定することができる。
【手続補正３０】
【補正対象書類名】明細書
【補正対象項目名】００８４
【補正方法】変更
【補正の内容】
【００８４】
色変換処理レベル制御範囲を設定する例として、例えば、２つの輝度設定閾値（第１輝度設定閾値及び第２輝度設定閾値（後述））を色変換処置部５０に設定しておき、第１輝度設定閾値以上であり、且つ、第２輝度設定閾値以下である範囲を、色変換処理レベル制御範囲とすることが考えられる。第１輝度設定値は、画像表示部３０の表示輝度範囲の全域において色変換処理を実施した場合における画像表示部３０の消費電力と色変換処理部５０の消費電力との合計消費電力と、色変換処理を行わない場合における画像表示部３０の消費電力とが交わる表示輝度Ａに相当する。第２輝度設定閾値は、表示輝度Ａよりも大きい表示輝度Ｂに相当する。
【手続補正３１】
【補正対象書類名】明細書
【補正対象項目名】００９７
【補正方法】変更
【補正の内容】
【００９７】
色変換処理時分割制御範囲を設定する例として、実施形態２と同様に、例えば、２つの輝度設定閾値（第１輝度設定閾値及び第２輝度設定閾値（後述））を色変換処理部５０に設定しておき、第１輝度設定閾値以上であり、且つ、第２輝度設定閾値以下である範囲を、色変換処理時分割制御範囲とすることが考えられる。なお、第１輝度設定値は、画像表示部３０の表示輝度範囲の全域において色変換処理を実施した場合における画像表示部３０の消費電力と色変換処理部５０の消費電力との合計消費電力と、色変換処理を行わない場合における画像表示部３０の消費電力とが交わる表示輝度Ａに相当する。第２輝度設定閾値は、表示輝度Ａよりも大きい表示輝度Ｂに相当する。
【手続補正３２】
【補正対象書類名】明細書
【補正対象項目名】００９９
【補正方法】変更
【補正の内容】
【００９９】
この場合には、例えば、第１輝度設定閾値から第２輝度設定閾値までの範囲を複数の区間に分割し、各区間毎に、色変換処理を実施するフレームの比率を定めておく。このとき、図２２に示すように、当該範囲の消費電力が、色変換処理を行わない場合の画像表示部３０における消費電力（一点鎖線ａ）を超えないように各区間毎のフレーム比率を定めたルックアップテーブルを色変換処理部５０に設定すればよい。
【手続補正３３】
【補正対象書類名】明細書
【補正対象項目名】０１１６
【補正方法】変更
【補正の内容】
【０１１６】
図３１に示す表示装置５７１のそれぞれは、表示手段としてのパネル５７３及びアナログ表示手段としてのムーブメント機構を互いに組み合わせた構成となっている。当該ムーブメント機構は、駆動手段としてのモータと、モータにより回転される指針５７４とを有している。そして、図３１に示すように、表示装置５７１では、パネル５７３の表示面に目盛表示、警告表示等を表示することができるとともに、ムーブメント機構の指針５７４がパネル５７３の表示面側において回転することが可能となっている。